(57)【特許請求の範囲】
【請求項１】
複数の枠辺部から組み立てられた直方体形の枠組構造物を備えたエンクロージャであって、外側コーナ縁部の範囲に、互いに突き合わされたパネルエレメントの縁曲げされた縁部を収容するための自由空間が形成されている形式のものにおいて、少なくとも垂直方向のパネルエレメント（２０，２０′，２０′′）の縁曲げされた縁部（２２，２２′）の内面（２３）が、前記パネルエレメント（２０，２０′，２０′′）本体の内面（２１）に対して４５゜の角度を成しており、前記縁曲げされた縁部（２２，２２′）の外面（２４）が、外側コーナ縁部（１５）の範囲で互いに突き合わされたパネルエレメント（２０，２０′）のコーナ角の二等分線（１６）に対して規定の間隔（ａ／２）を有しており、前記パネルエレメント（２０，２０′，２０′′）の内面（２１）が、枠組構造物（１０，１０′）の外側平面（１３，１４）の範囲で直接に枠辺部（１１，１１′）に接触しているか、またはシールエレメントを介して枠辺部（１１，１１′）に接触していることを特徴とするエンクロージャ。
【請求項２】
互いに直角に突き合わされたパネルエレメント（２０，２０′）の内面（２１）の平面が、枠組構造物（１０，１０′）の、対応する外側コーナ縁部（１５）で互いに交差している、請求項１記載のエンクロージャ。
【請求項３】
パネルエレメント（２０，２０′，２０′′）が、該パネルエレメント（２０，２０′，２０′′）の厚さ（Ｄ）にほぼ等しい厚さを有する円弧状の移行部（２５）を介して、縁曲げされた縁部（２２）へ移行している、請求項１または２記載のエンクロージャ。
【請求項４】
パネルエレメント（２０，２０′，２０′′）が、４つの全ての辺に、縁曲げされた縁部（２２）を有しており、これらの縁部（２２）が、パネルエレメント（２０，２０′，２０′′）のコーナの範囲で、パネルエレメント（２０，２０′，２０′′）の両辺の間のコーナ角の二等分線（１６，１６′）の平面に位置しかつパネルエレメント（２０，２０′，２０′′）本体の内面（２１）に対して４５゜の角度を成して延びる内面（２３）を有するコーナ稜縁へ移行している、請求項１から３までのいずれか１項記載のエンクロージャ。
【請求項５】
少なくとも１つのパネルエレメント（２０′）が、エンクロージャドアとして形成されており、該エンクロージャドアが、縁曲げされた縁部（２２）と内面（２１）との間に垂直方向の辺に沿ってヒンジエレメント（３０）を備えており、該ヒンジエレメント（３０）の対応ヒンジエレメントが、枠組構造物（１０）の、向かい合わされた垂直方向の枠辺部（１１）の自由空間（１２）内に設けられており、同様に、エンクロージャドアの、反対の側に位置する垂直方向の辺に閉鎖エレメントが設けられており、対応する垂直方向の枠辺部に対応閉鎖エレメントが設けられている、請求項１から４までのいずれか１項記載のエンクロージャ。
【請求項６】
縁曲げされた縁部（２２）の外面（２４）と、枠組構造物（１０）の互いに突き合わされた外側平面（１３，１４）の間のコーナ角の二等分線（１６）との間の規定の間隔（ａ／２）が、パネルエレメント（２０，２０′，２０′′）の厚さ（Ｄ）よりも小さく形成されている、請求項１から５までのいずれか１項記載のエンクロージャ。
【請求項７】
前記縁部（２２）が、パネルエレメント（２０，２０′，２０′′）の水平方向の辺で直角に縁曲げされており、少なくとも上側のパネルエレメントが、直角に縁曲げされた縁部を備えていて、接続する垂直方向のパネルエレメント（２０，２０′，２０′′）をカバーしている、請求項１から３までのいずれか１項記載のエンクロージャ。
【請求項８】
パネルエレメント（２０，２０′）およびエンクロージャドアの縁部（２２，２２′）の自由端部が、対応するパネルエレメントまたはエンクロージャドアの内面（２１）に向かう方向へ曲げ込まれている、請求項１から７までのいずれか１項記載のエンクロージャ。
【発明の詳細な説明】
【０００１】
【発明の属する技術分野】
本発明は、複数の枠辺部から組み立てられた直方体形の枠組構造物を備えたエンクロージャ（Ｓｃｈａｌｔｓｃｈｒａｎｋ）であって、外側コーナ縁部の範囲に、互いに突き合わされたパネルエレメント（Ｖｅｒｋｌｅｉｄｕｎｇｓｅｌｅｍｅｎｔ）の縁曲げされた縁部を収容するための自由空間が形成されている形式のものに関する。
【０００２】
【従来の技術】
このような形式の公知のエンクロージャでは、パネルエレメントの縁部が常に直角に縁曲げされていて、枠組構造物の外側コーナ縁部の範囲に設けられた自由空間内に突入している。縁曲げされた縁部を備えたパネルエレメントは、このパネルエレメントに直角に突き合わされたパネルエレメントに対してセットバックされていて、このパネルエレメントによってカバーされる。これにより、互いに並設されたエンクロージャは１つの閉じられたフロントを形成する。しかし、正方形の横断面を有する対称的な枠組構造物では、互いに異なる幅の２種類のパネルエレメントが必要とされる。さらに、外側コーナ縁部の範囲では、一方のパネルエレメントの縁曲げされた縁部の自由縁と、カバーされたパネルエレメントとの間にギャップが残る。これにより、パネルエレメントを無理矢理力でこじ開けるための工具の当付け個所が与えられている。パネルは破壊行為に対して十分に安全確保されていない。
【０００３】
【発明が解決しようとする課題】
本発明の課題は、冒頭で述べた形式のエンクロージャを改良して、パネルエレメントもエンクロージャドアも、一様のもしくは同一の縁構造を有していて、パネルエレメントとエンクロージャドアとの任意の組み合わせにおいて外側コーナ縁部の範囲に小さなギャップしか残らず、この小さなギャップにより破壊行為に対する安全性が向上されるようなエンクロージャを提供することである。
【０００４】
【課題を解決するための手段】
この課題を解決するために本発明の構成では、少なくとも垂直方向のパネルエレメントの縁曲げされた縁部の内面が、前記パネルエレメント本体の内面に対して４５゜の角度を成しており、前記縁曲げされた縁部の外面が、外側コーナ縁部の範囲で互いに突き合わされたパネルエレメントのコーナ角の二等分線に対して規定の間隔を有しており、前記パネルエレメントの内面が、枠組構造物の外側平面の範囲で直接に枠辺部に接触しているか、またはシールエレメントを介して枠辺部に接触しているようにした。
【０００５】
【発明の効果】
エンクロージャの４つの垂直方向の辺のための、打抜き・曲げ成形部分として形成されたパネルエレメントは、水平方向で正方形の枠辺部の特別な事例では、それどころか同一に形成されており、しかもこれらのパネルエレメントは、このような複数のエンクロージャが互いに並設された状態で、やはり小幅のギャップにより分割されたフロントを形成している場合でも、垂直方向の外側コーナ縁部の範囲では、縁曲げ部の間の小さなギャップを介してしか突き合わされていない。このギャップは縁曲げ部自体によって仕切られていて、極めて小幅に設計されているので、パネルエレメントをこじ開けるための工具はもはや有効に当て付けられなくなる。破壊行為に対する安全性は相応して高められている。
【０００６】
パネルエレメントの縁曲げされた縁部と、枠組構造物の外側平面の間のコーナ角の二等分線との間の間隔および互いに隣接したエンクロージャの互いに並設されたパネルエレメントの間のギャップは、極めて小さく保持され得る。枠組構造物の外側コーナ縁部で互いに直角に突き合わされたパネルエレメントは、本発明の１構成では、互いに直角に突き合わされたパネルエレメントの内面の平面が、枠組構造物の対応する外側コーナ縁部で互いに交差するように配置されている。この場合、前記パネルエレメントは、前記パネルエレメントの厚さにほぼ相当する厚さを有する円弧状の移行部を介して、縁曲げされた縁部へ移行するように形成されていると有利である。
【０００７】
水平方向の外側コーナ縁部でもパネルエレメントが同じ間隔を置いて互いに突き合わされるようにするために、本発明の別の有利な構成では、パネルエレメントが４つの全ての辺に、縁曲げされた縁部を有しており、この縁部がパネルエレメントのコーナの範囲でコーナ稜縁へ移行している。このコーナ稜縁はパネルエレメントの２つの辺の間のコーナ角の二等分線の平面に位置しており、前記コーナ稜縁の内面はパネルエレメントの内面に対して４５゜の角度で延びている。
【０００８】
開放されかつ再び閉鎖され得るエンクロージャのために本発明のさらに別の有利な構成では、少なくとも１つのパネルエレメントがエンクロージャドアとして形成されており、このエンクロージャドアが、垂直方向の辺に沿って、縁曲げされた縁部と内面との間にヒンジエレメントを備えており、このヒンジエレメントの対応ヒンジエレメントが、枠組構造物の、向かい合わされた垂直方向の枠辺部の自由空間内に設けられており、同様に、エンクロージャドアの、反対の側に位置する垂直方向の辺に閉鎖エレメントもしくは閉扉エレメントが設けられており、対応する垂直方向の枠辺部に対応閉鎖エレメントもしくは対応閉扉エレメントが設けられている。
【０００９】
本発明のさらに別の有利な構成では、縁曲げされた縁部の外面と、枠組構造物の互いに突き合わされた外側平面の間のコーナ角の二等分線との間の規定の間隔が、パネルエレメントの厚さよりも小さく形成されていることにより、開いた外側コーナ縁部を小幅に保持することができる。
【００１０】
本発明のさらに別の有利な構成では、前記縁部が、パネルエレメントの水平方向の辺で直角に縁曲げされており、少なくとも上側のパネルエレメントが、直角に縁曲げされた縁部を備えていて、接続する垂直方向のパネルエレメントをカバーしている。その場合、垂直方向のギャップはエンクロージャの全高にわたって延びている。
【００１１】
【発明の実施の形態】
以下に、本発明の実施の形態を図面につき詳しく説明する。
【００１２】
図１には、直方体形のフレームワークもしくは枠組構造物１０の１つの垂直な枠辺部１１の部分横断面図が示されている。枠組構造物１０の、互いに直角に突き合わされた外側平面１３，１４は、仮想の外側コーナ縁部１５で互いに交差している。枠辺部１１は、コーナ角の二等分線１６に対して鏡像対称的に形成されており、異形成形材、つまりプロファイルにより形成された枠辺部１１のプロファイル辺１７，１８の外面は、取り付けたいパネルエレメント２０，２０′のための架装面となる外側平面１３，１４に位置している。枠辺部１１は外側コーナ縁部１５に向かって自由空間１２を形成している。枠組構造物１０が同じ横断面の１２個のプロファイル区分、つまり異形形成されたフレーム区分から組み立てられている場合、自由空間１２は、外側コーナ縁部が垂直方向に延びていようが水平方向に延びていようが、全ての外側コーナ縁部にわたって延びている。また、水平方向の枠辺部が下側のフレームと上側のフレームとを形成しかつ異なる横断面を有しているような枠組構造物１０も知られている。
【００１３】
ところで、本発明では、他ならぬ垂直方向の枠辺部１１と、互いに突き合わされたパネルエレメント２０，２０′とが、垂直方向の外側コーナ縁部１５の範囲で、コーナ角の二等分線１６に対して対称的に形成されていて、外側コーナを小幅のピンを残して閉じていることが極めて重要となる。したがって、パネルエレメント２０，２０′では、垂直方向の辺が、縁曲げされた縁部２２を備えている。これらの縁部２２はパネルエレメント２０，２０′本体に対して４５゜の角度を成して、コーナ角の二等分線１６に対して平行に延びており、さらにコーナ角の二等分線１６に対して縁部２２の外面２４が、それぞれ所定の間隔ａ／２をとっている。こうして、垂直方向の外側コーナ縁部１５の範囲には、極めて小さく保持することのできる幅ａを有するギャップが形成される。幅ａは、たとえばパネルエレメント２０，２０′の厚さＤよりも小さく形成されていてよい。このような小さな幅ａを有するギャップ内では、縁曲げされた縁部２２によって補強されたパネルエレメント２０または２０′を工具を用いて、てこの原理により持ち上げようとしても、工具を有効に当接させることができない。縁部２２は円弧状の移行部２５を介してパネルエレメント２０，２０′へ移行しているので、パネルエレメント２０，２０′の内面２１がプロファイル辺１７，１８の外面に当て付けられると、パネルエレメント２０，２０′を外側コーナ縁部１５のできるだけ近くにまで近付けることができる。
【００１４】
正方形の横断面を有する枠組構造物１０では、垂直方向の４つの全てのパネルエレメント２０，２０′を同一の打抜き・曲げ成形部分として形成することができる。エンクロージャドアとして使用されるパネルエレメント２０′では、縁曲げされた縁部２２の内面２３と、パネルエレメント２０′本体の内面２１との間の空間にヒンジエレメント３０が設けられる。これらのヒンジエレメント３０は、できるだけ９０゜以上の開放角度が達成されるように取り付けられている。その場合、ギャップ幅と開放角度との間で適当な妥協が選択されなければならない。エンクロージャドアのための対応ヒンジエレメントはこの場合、対応する垂直方向の枠辺部１１の自由空間１２内に設けられている。
【００１５】
少なくとも上側の水平方向のパネルエレメントも、同じく４５゜の角度で縁曲げされた縁部２２を備えていてよい。これにより、エンクロージャ上側の水平方向の外側コーナ縁部１５も、図１の実施例に相応して形成されている。また、下側のエンクロージャ閉鎖部をも同様に形成することも考えられる。しかし、上側および下側の水平方向のパネルエレメントは、直角に縁曲げられた縁部を有していてもよく、その場合、これらの水平方向のパネルエレメントは垂直方向のパネルエレメント２０，２０′をカバーする。この場合、垂直方向のパネルエレメント２０，２０′の水平方向の辺も直角に縁曲げられた縁部を有していて、この縁部が水平方向のパネルエレメントによってカバーされると有利である。その場合、垂直方向の外側コーナ縁部の範囲に形成された、幅ａを有するギャップは、エンクロージャの全高にわたって延びる。
【００１６】
垂直方向のパネルエレメント２０，２０′の水平方向の辺および水平方向のパネルエレメントの全ての辺も、４５゜の角度で縁曲げされた縁部２２を備えていると、図１に示した向きおよび配置で見て、パネルエレメントのコーナ範囲では、パネルエレメントのコーナ角の二等分線の平面に位置しかつパネルエレメントの内面２１に対して４５゜の角度を成す、互いに突き合わされた縁部２２の間の１つのコーナ稜縁が形成される。
【００１７】
図２に示したように、２つの枠組構造物１０，１０′が直接に互いに並設されて連結される場合、互いに向かい合わされた外側平面１３，１３′は合致し合う。異形成形断面辺もしくはプロファイル辺１８，１８′の外面は互いに接触している。自由空間１２，１２′は合算され、縁部２２，２２′は対応するコーナ角の二等分線１６，１６′に対してそれぞれ間隔ａ／２を置いて位置している。移行部２５，２５′は、並設されたエンクロージャ列のフロント側で幅ｂを有する規定のギャップを仕切っている。枠組構造物１０，１０′の外側平面１４，１４′は１つの共通の平面に位置しているので、このことはパネルエレメント２０′，２０′′の外面にも云える。パネルエレメント２０′，２０′′は、エンクロージャ列のフロント範囲でエンクロージャドアとして形成されて、たとえばパネルエレメント２０′に設けられたヒンジエレメント３０を用いて枢着されている。エンクロージャドアとして形成されたパネルエレメント２０′の、反対の側に位置する垂直方向の辺は、閉鎖エレメントを備えており、この閉鎖エレメントは、向かい合わされた垂直方向の枠辺部に設けられた対応閉鎖エレメントと協働する。パネルエレメント２０′′は枠辺部１１′のプロファイル辺１７′の外面に接触している。
【００１８】
エンクロージャドアおよびパネルエレメントが同じ縁曲げ部を有しているので、エンクロージャドアおよびパネルエレメントを枠組構造物の外面に任意に取り付けることができ、すなわち自由に組み合わせることができる。枠組構造物の横断面が正方形に形成されている場合、垂直方向のパネルエレメントとエンクロージャドアとのためには、一様の金属薄板打抜き・曲げ成形部分が使用される。
【００１９】
縁部２２の自由端部を、対応するパネルエレメントまたはエンクロージャドアの方向へ曲げ込むことにより、パネルエレメントおよびエンクロージャドアの縁曲げを付加的に補剛することができる。
【図面の簡単な説明】
【図１】エンクロージャの、パネルエレメントによって閉鎖された枠組構造物の垂直方向のコーナ範囲を示す水平方向の部分横断面図である。
【図２】エンクロージャ列の互いに隣接したエンクロージャの互いに並設されたコーナ範囲を示す水平方向の部分横断面図である。
【符号の説明】
１０，１０′  枠組構造物、  １１，１１′  枠辺部、  １２，１２′  自由空間、  １３，１３′，１４，１４′  外側平面、  １５  外側コーナ縁部、  １６，１６′  コーナ角の二等分線、  １７，１７′，１８，１８′  プロファイル辺、  ２０，２０′，２０′′  パネルエレメント、  ２１  内面、  ２２，２２′  縁部、  ２３  内面、  ２４  外面、  ２５，２５′  移行部、  ３０  ヒンジエレメント
【図１】
0003648491.tif 000002
【図２】
0003648491.tif 000003